(57)【特許請求の範囲】
【請求項１】
電気光学ディスプレイを駆動させるための方法であって、前記方法は、
第１の時間においてディスプレイ上にグリフを表示することであって、前記グリフは、フォントヒントを使用するフォントを含み、前記第１の時間において、前記グリフは第１のビット深度において提示される、ことと、
前記第１のビット深度において前記グリフを表示した後、第２のビット深度において前記ディスプレイ上に第２の時間において同一グリフを表示することであって、前記第２の時間において提示される前記グリフは、同一フォントヒントを使用する前記フォントを含む、ことと
を含み、
前記第１のビット深度は、前記第２のビット深度よりも少ないビットを有し、前記第１のビット深度において前記グリフを表示するのに必要な時間は、前記第２のビット深度において前記グリフを表示するのに必要な時間よりも短い、方法。
【請求項２】
前記第１のビット深度は、１ビットである、請求項１に記載の方法。
【請求項３】
前記フォントヒントは、前記第１のビット深度および前記第２のビット深度に共通であり、かつ、前記第１のビット深度および前記第２のビット深度の両方に対して前記フォントの少なくとも１つの特性を最適化するように構成される、請求項１に記載の方法。
【発明の詳細な説明】
【技術分野】
【０００１】
（関連出願に対する参照）
本願は、２０１５年１月３０日に出願された米国仮出願第６２／１０９，７６９号の利益を主張する。この出願ならびに後述される全ての他の米国特許および公開された同時係属中の出願の内容全体が、参照により、本明細書に援用される。
【０００２】
（発明の背景）
本願は、電気光学ディスプレイに関し、いくつかの側面は、より具体的には、テキスト、文字、および記号等を表示するためにグリフを使用するときのそのようなディスプレイの制御に関する。
【発明の概要】
【課題を解決するための手段】
【０００３】
（発明の要旨）
本願の側面は、ヒンティング間に殆どまたは全く変動を伴わずに、２つ以上のビット深度において、テキスト、文字、または記号等を電気光学ディスプレイ上に表示するための方法を提供する。いくつかの実施形態では、同一ヒンティングが、２つの異なるビット深度において同一テキストを連続して表示するために使用される。
【０００４】
本願のある側面によると、ディスプレイを駆動させるための方法が提供され、この方法は、第１のビット深度において、少なくとも１つのフォントヒントを使用したフォントでテキスト情報、文字、または記号をディスプレイ上に表示することと、第１のビット深度においてテキスト情報を表示した後、第２のビット深度において、少なくとも１つのフォントヒントを使用したフォントでテキスト情報をディスプレイ上に表示することとを含む。
【０００５】
本願の別の側面によると、ディスプレイの点滅を増加させずにアーチファクトを低減させる様式において、電気光学ディスプレイを更新するための方法が提供される。いくつかの実施形態では、ピクセルマスクが、更新されているグリフ内に含まれるものを上回る数の更新されるべきピクセルを画定するために使用される。
【０００６】
本願のある側面によると、ディスプレイを駆動させる方法が提供され、この方法は、ディスプレイ上に表示されかつディスプレイの第１の数のピクセルを占有するグリフのために、グリフを包囲するディスプレイの第２の数のピクセルを点滅させることであって、第２の数のピクセルは、第１の数のピクセルを上回る、ことを含む。ディスプレイのピクセルの部分集合は、いくつかの実施形態では、グリフを包含する凸包未満またはそれに等しい。
本明細書は、例えば、以下の項目も提供する。
（項目１）
電気光学ディスプレイを駆動させるための方法であって、前記方法は、
第１のビット深度において、少なくとも１つのフォントヒントを使用したフォントでグリフをディスプレイ上に表示することと、
前記第１のビット深度において前記グリフを表示した後、第２のビット深度において、前記少なくとも１つのフォントヒントを使用した前記フォントで前記グリフを前記ディスプレイ上に表示することと
を含む、方法。
（項目２）
前記第１のビット深度は、前記第２のビット深度より低いビット深度である、項目１に記載の方法。
（項目３）
前記第１のビット深度は、１ビットである、項目２に記載の方法。
（項目４）
前記少なくとも１つのフォントヒントは、前記第２のビット深度に特有である、項目１に記載の方法。
（項目５）
前記少なくとも１つのヒントは、前記第１のビット深度および前記第２のビット深度に共通であり、かつ、前記第１のビット深度および前記第２のビット深度の両方に対して前記フォントの少なくとも１つの特性を最適化するように構成される、項目１に記載の方法。
（項目６）
前記第１のビット深度において前記グリフを表示することは、前記第２のビット深度において前記グリフを表示することより時間がかからない、項目１に記載の方法。
（項目７）
電気光学ディスプレイを駆動させる方法であって、前記方法は、
グリフをディスプレイ上に表示し、前記ディスプレイの第１の数のピクセルを占有し、続いて、前記グリフを包囲する前記ディスプレイの第２の数のピクセルを能動的に駆動させることによって、前記グリフをディスプレイから除去することであって、前記第２の数のピクセルは、前記第１の数のピクセルを上回る、ことを含む、方法。
（項目８）
前記第１の数のピクセルは、第１の数のエッジを有する第１の境界を画定し、前記第２の数のピクセルは、前記第１の数のエッジ未満の第２の数のエッジを有する第２の境界を画定する、項目７に記載の方法。
（項目９）
前記第２の数のピクセルを点滅させることは、前記第２の数のピクセルを同一グレーレベルに駆動させることを含む、項目７に記載の方法。
（項目１０）
同一グレーレベルは、白色に対応する、項目９に記載の方法。
（項目１１）
同一グレーレベルは、黒色に対応する、項目９に記載の方法。
（項目１２）
前記第２の数のピクセルを能動的に駆動させることは、前記第２の数のピクセルを駆動させることにより次の画像を表示させることを含む、項目７に記載の方法。
【図面の簡単な説明】
【０００７】
本願の種々の側面および実施形態が、以下の図を参照して説明される。図が必ずしも一定の縮尺で描かれていないことを理解されるべきである。複数の図中に現れる項目は、それらが現れる全図において、同一の参照番号によって示される。
【０００８】
【図１】図１は、本願の非限定的実施形態による、関連付けられたディスプレイを有する装置の略図である。
【０００９】
【図２】図２は、電気泳動ディスプレイの実施例の断面図である。
【００１０】
【図３】図３は、図１に示されるコントローラユニットがある出力信号を生成し得る様式を示す概略ブロック図である。
【００１１】
【図４】図４は、ディスプレイピクセルの以前の状態が現在のピクセル値にどのように影響を及ぼし得るかを図示する概略図である。
【００１２】
【図５】図５は、マルチビットフォント深度および１ビットフォント深度の両方についてのセリフフォントにおける例示的グリフを図示する。
【００１３】
【図６】図６は、マルチビットフォント深度および１ビットフォント深度の両方についてのサンセリフフォントにおける例示的グリフを図示する。
【００１４】
【図７Ａ】図７Ａは、例示的なピクセル化されたグリフである。
【００１５】
【図７Ｂ】図７Ｂは、図７Ａにおけるグリフの輪郭である。
【００１６】
【図８】図８Ａ〜図８Ｇは、本願の非限定的実施形態による、ディスプレイを更新するときに図７Ａにおける例示的グリフに適用され得る例示的マスクである。
【発明を実施するための形態】
【００１７】
（詳細な説明）
本願の側面は、ヒンティング間に殆どまたは全く変動を伴わずに、２つ以上のビット深度においてテキスト、文字、または記号等を電気光学ディスプレイ上に表示するための方法を提供する。本願の別の側面は、第１の数のピクセルを有するグリフを表示し、次いで、そのグリフを含むディスプレイの第２の数のピクセルを点滅させることによってそのグリフを除去する方法を提供し、第２の数のピクセルは、第１の数のピクセルを上回る。
【００１８】
用語「電気光学」は、材料またはディスプレイに適用されるように、画像化技術分野におけるその従来の意味で使用され、少なくとも１つの光学特性が異なる第１の表示状態および第２の表示状態を有する材料であって、材料への電場の印加によって、その第１の表示状態からその第２の表示状態に変化させられる、材料を指すように、本明細書において使用される。光学特性は、典型的には、ヒトの眼に知覚可能な色であるが、別の光学特性（例えば、光学透過率、反射率、ルミネッセンス、または機械読取のために意図されるディスプレイの場合には可視範囲外の電磁波長の反射の変化の意味における擬似色等）であってもよい。
【００１９】
用語「グレー状態」は、画像化技術分野におけるその従来の意味で使用され、２つの極端なピクセルの光学的状態の中間の状態を指し、必ずしも黒と白とのこれらの２つの極端な状態の間の遷移を暗示するわけではない。例えば、電気泳動ディスプレイは、中間の「グレー状態」が実際には薄青になるように、白および濃青である極端な状態を有してもよい。実際、すでに述べたように、光学的状態の変化は、色の変化では全くない場合もある。用語「黒」および「白」は、以下、ディスプレイの２つの極端な光学的状態を指すように使用される場合があり、例えば、前述の白および濃青状態等の厳密には黒および白ではない極端な光学的状態を通常含むものとして理解されるべきである。用語「単色」は、以下、介在グレー状態を伴わずにピクセルをその２つの極端な光学状態のみに駆動させる駆動スキームを指すために使用され得る。
【００２０】
いくつかの電気光学材料は、材料が固体外部表面を有するという意味において固体であるが、材料は、多くの場合、内部液体または気体充填空間を有してもよい。固体電気光学材料を使用するそのようなディスプレイは、以下、便宜上、「固体電気光学ディスプレイ」と称され得る。したがって、用語「固体電気光学ディスプレイ」は、回転二色部材ディスプレイ、カプセル化された電気泳動ディスプレイ、マイクロセル電気泳動ディスプレイ、およびカプセル化された液晶ディスプレイを含む。
【００２１】
用語「双安定」および「双安定性」は、当技術分野におけるそれらの従来の意味で使用され、少なくとも１つの光学特性が異なる第１の表示状態および第２の表示状態を有する表示要素を備えるディスプレイであって、有限持続時間のアドレス指定パルスを用いて、所与の要素が駆動されてから、アドレス指定パルスが終了した後に、表示要素の状態を変化させるために必要とされるアドレス指定パルスの最小持続時間の少なくとも数倍（例えば、少なくとも４倍）その状態が続くような第１の表示状態または第２の表示状態のうちのいずれか一方を呈するディスプレイを指すように、本明細書において使用される。米国特許第７，１７０，６７０号では、グレースケール対応のいくつかの粒子ベースの電気泳動ディスプレイが、その極端な黒および白状態においてだけではなく、それらの中間グレー状態においても、安定しており、同じことは、いくつかの他のタイプの電気光学ディスプレイにも当てはまることが示されている。本タイプのディスプレイは、適切には、双安定ではなく、「多安定」と呼ばれるが、便宜上、用語「双安定」が、本明細書では、双安定ディスプレイおよび多安定ディスプレイの両方を網羅するように使用され得る。
【００２２】
いくつかのタイプの電気光学ディスプレイが、公知である。あるタイプの電気光学ディスプレイは、例えば、米国特許第５，８０８，７８３号、米国特許第５，７７７，７８２号、米国特許第５，７６０，７６１号、米国特許第６，０５４，０７１号、米国特許第６，０５５，０９１号、米国特許第６，０９７，５３１号、米国特許第６，１２８，１２４号、米国特許第６，１３７，４６７号、および米国特許第６，１４７，７９１号に説明されるような回転二色部材タイプである（本タイプのディスプレイは、多くの場合、「回転二色ボール」ディスプレイと称されるが、前述の特許のうちのいくつかでは回転部材が球状ではないため、用語「回転二色部材」の方がより正確なものとして好ましい）。そのようなディスプレイは、異なる光学特性を伴う２つ以上の区分と、内部双極子とを有する多数の小さい本体（典型的には、球状または円筒形状）を使用する。これらの本体は、マトリクス内で液体が充填された液胞の中に懸濁され、液胞は、本体が自由に回転するように、液体で充填されている。ディスプレイの外観は、ディスプレイに電場を印加することによって、したがって、本体を種々の位置に回転させ、画面を通して本体のどの区分が見られるかを変動させることによって、変化させられる。本タイプの電気光学媒体は、典型的には、双安定である。
【００２３】
別のタイプの電気光学ディスプレイは、エレクトロクロミック媒体（例えば、少なくとも部分的に半導体金属酸化物から形成される電極と、電極に付着した可逆の色の変化が可能な複数の色素分子とを備えるナノクロミックフィルム状のエレクトロクロミック媒体）を使用する（例えば、Ｏ’Ｒｅｇａｎ，  Ｂ．，  ｅｔ  ａｌ，  Ｎａｔｕｒｅ  １９９１，３５３，７３７、および、Ｗｏｏｄ，  Ｄ．，  Ｉｎｆｏｒｍａｔｉｏｎ  Ｄｉｓｐｌａｙ，  １８（３），２４（Ｍａｒｃｈ  ２００２）を参照されたい。また、Ｂａｃｈ，  Ｕ．，  ｅｔ  ａｌ，  Ａｄｖ．  Ｍａｔｅｒ．，  ２００２，１４（１１），８４５も参照されたい。本タイプのナノクロミックフィルムはまた、例えば、米国特許第６，３０１，０３８号、米国特許第６，８７０，６５７号、および米国特許第６，９５０，２２０号にも説明されている。）。本タイプの媒体もまた、典型的には、双安定である。
【００２４】
別のタイプの電気光学ディスプレイは、Ｐｈｉｌｉｐｓによって開発され、Ｈａｙｅｓ，  Ｒ．Ａ．，  ｅｔ  ａｌ，「Ｖｉｄｅｏ−Ｓｐｅｅｄ  Ｅｌｅｃｔｒｏｎｉｃ  Ｐａｐｅｒ  Ｂａｓｅｄ  ｏｎ  Ｅｌｅｃｔｒｏｗｅｔｔｉｎｇ」，Ｎａｔｕｒｅ，  ４２５，３８３−３８５（２００３）に説明されている、エレクトロウェッティングディスプレイである。米国特許第７，４２０，５４９号には、そのようなエレクトロウェッティングディスプレイが双安定となり得ることが示されている。
【００２５】
長年にわたり研究および開発の関心の対象である、あるタイプの電気光学ディスプレイは、粒子ベースの電気泳動ディスプレイであり、電気泳動ディスプレイでは、複数の荷電粒子が、電場の影響下で流体を通って移動する。電気泳動ディスプレイは、液晶ディスプレイと比較すると、良好な輝度およびコントラスト、広視野角、状態双安定性、ならびに低電力消費の属性を有することができる。それにもかかわらず、これらのディスプレイの長期の画像品質に関する問題は、その広範な利用を妨げている。例えば、電気泳動ディスプレイを構成する粒子は、沈降する傾向があり、これらのディスプレイの不十分な使用可能寿命をもたらす。
【００２６】
Ｍａｓｓａｃｈｕｓｅｔｔｓ  Ｉｎｓｔｉｔｕｔｅ  ｏｆ  Ｔｅｃｈｎｏｌｏｇｙ（ＭＩＴ）およびＥ  Ｉｎｋ  Ｃｏｒｐｏｒａｔｉｏｎに譲渡されたかまたはそれらの名義の多数の特許および出願は、カプセル化された電気泳動媒体および他の電気光学媒体に使用される種々の技術を説明している。そのようなカプセル化された媒体は、多数の小型カプセルを含み、そのそれぞれの媒体自体が、電気泳動により移動可能な粒子を流体媒体中に含む内相と、内相を包囲するカプセル壁とを含む。典型的には、カプセルはそれ自体が、２つの電極間に位置付けられる密着した層を形成するように、ポリマー接着剤内に保持される。これらの特許および出願に説明される技術は、
（ａ）電気泳動粒子、流体、および流体添加物（例えば、米国特許第７，００２，７２８号および米国特許第７，６７９，８１４号参照）
（ｂ）カプセル、結合剤、およびカプセル化プロセス（例えば、米国特許第６，９２２，２７６号および米国特許第７，４１１，７１９号参照）
（ｃ）電気光学材料を含有するフィルムおよびサブアセンブリ（例えば、米国特許第６，９８２，１７８号および米国特許第７，８３９，５６４号参照）
（ｄ）ブラック平面、接着剤層、および他の補助層、ならびにディスプレイにおいて使用される方法（例えば、米国特許第７，１１６，３１８号および米国特許第７，５３５，６２４号参照）
（ｅ）色形成および色調節（例えば、米国特許第７，０７５，５０２号および米国特許出願公開第２００７／０１０９２１９号参照）
（ｆ）ディスプレイを駆動するための方法（例えば、米国特許第５，９３０，０２６号、米国特許第６，４４５，４８９号、米国特許第６，５０４，５２４号、米国特許第６，５１２，３５４号、米国特許第６，５３１，９９７号、米国特許第６，７５３，９９９号、米国特許第６，８２５，９７０号、米国特許第６，９００，８５１号、米国特許第６，９９５，５５０号、米国特許第７，０１２，６００号、米国特許第７，０２３，４２０号、米国特許第７，０３４，７８３号、米国特許第７，１１６，４６６号、米国特許第７，１１９，７７２号、米国特許第７，１９３，６２５号、米国特許第７，２０２，８４７号、米国特許第７，２５９，７４４号、米国特許第７，３０４，７８７号、米国特許第７，３１２，７９４号、米国特許第７，３２７，５１１号、米国特許第７，４５３，４４５号、米国特許第７，４９２，３３９号、米国特許第７，５２８，８２２号、米国特許第７，５４５，３５８号、米国特許第７，５８３，２５１号、米国特許第７，６０２，３７４号、米国特許第７，６１２，７６０号、米国特許第７，６７９，５９９号、米国特許第７，６８８，２９７号、米国特許第７，７２９，０３９号、米国特許第７，７３３，３１１号、米国特許第７，７３３，３３５号、米国特許第７，７８７，１６９号、米国特許第７，９５２，５５７号、米国特許第７，９５６，８４１号、米国特許第７，９９９，７８７号、米国特許第８，０７７，１４１号、米国特許第８，１２５，５０１号、米国特許第８，１３９，０５０号、米国特許第８，１７４，４９０号、米国特許第８，２８９，２５０号、米国特許第８，３００，００６号、米国特許第８，３０５，３４１号、米国特許第８，３１４，７８４号、米国特許第８，３８４，６５８号、米国特許第８，５５８，７８３号、および米国特許第８，５５８，７８５号、ならびに米国特許出願公開第２００３／０１０２８５８号、米国特許出願公開第２００５／０１２２２８４号、米国特許出願公開第２００５／０２５３７７７号、米国特許出願公開第２００７／００９１４１８号、米国特許出願公開第２００７／０１０３４２７号、米国特許出願公開第２００８／００２４４２９号、米国特許出願公開第２００８／００２４４８２号、米国特許出願公開第２００８／０１３６７７４号、米国特許出願公開第２００８／０２９１１２９号、米国特許出願公開第２００９／０１７４６５１号、米国特許出願公開第２００９／０１７９９２３号、米国特許出願公開第２００９／０１９５５６８号、米国特許出願公開第２００９／０３２２７２１号、米国特許出願公開第２０１０／０２２０１２１号、米国特許出願公開第２０１０／０２６５５６１号、米国特許出願公開第２０１１／０１９３８４０号、米国特許出願公開第２０１１／０１９３８４１号、米国特許出願公開第２０１１／０１９９６７１号、米国特許出願公開第２０１１／０２８５７５４号、および米国特許出願公開第２０１３／０１９４２５０号参照）
（ｇ）ディスプレイの適用（例えば、米国特許第７，３１２，７８４号および米国特許第８，００９，３４８号参照）
（ｈ）非電気泳動ディスプレイ（米国特許第６，２４１，９２１号、米国特許第６，９５０，２２０号、米国特許第７，４２０，５４９号、および米国特許第８，３１９，７５９号、ならびに米国特許出願公開第２０１２／０２９３８５８号参照）
を含む。
【００２７】
別のタイプの電気泳動ディスプレイは、いわゆる「マイクロセル電気泳動ディスプレイ」である。マイクロセル電気泳動ディスプレイでは、荷電粒子および流体は、マイクロカプセル内にカプセル化されないが、代わりに、担体媒体（典型的には、高分子フィルム）内に形成される複数の空洞内に留められる。例えば、米国特許第６，６７２，９２１号および米国特許第６，７８８，４４９号を参照されたい（両方とも、Ｓｉｐｉｘ  Ｉｍａｇｉｎｇ，  Ｉｎｃ．に譲渡されている）。
【００２８】
他のタイプの電気光学材料もまた、本願の複数の側面において使用されてもよい。特に関心があることとして、双安定性強誘電液晶ディスプレイ（ＦＬＣ）が、当該技術分野において公知である。
【００２９】
電気光学ディスプレイは、通常、電気光学材料の層と、電気光学材料の両側に配置される少なくとも２つの他の層（これらの２つの層のうちの１つは、電極層である）とを備える。たいていのそのようなディスプレイでは、両層が、電極層であり、電極層の一方または両方が、ディスプレイのピクセルを画定するようにパターン化される。例えば、一方の電極層は、細長行電極にパターン化され、他方は、行電極に対して直角に走る細長列電極にパターン化されてもよく、ピクセルは、行電極および列電極の交差によって、画定される。代替として、かつより一般的には、一方の電極層は、単一連続電極の形態を有し、他方の電極層は、ピクセル電極の行列にパターン化され、そのピクセル電極の行列のそれぞれが、ディスプレイの１ピクセルを画定する。ディスプレイと別個のスタイラス、印字ヘッド、または同様の可動電極との併用が意図される別のタイプの電気光学ディスプレイでは、電気光学層に隣接する層のうちの１つのみが、電極を備え、電気光学層の反対側の層は、典型的には、可動電極が電気光学層に損傷を与えるのを防止することが意図される保護層である。
【００３０】
用語「Ｌスター」が、本明細書で使用され得、「Ｌ＊」によって表され得る。Ｌ＊は、通常のＣＩＥ定義：Ｌ＊＝１１６（Ｒ／Ｒ０）１／３−１６を有し、式中、Ｒは、反射率であり、Ｒ０は、標準反射率値である。
【００３１】
用語「インパルス」は、時間に対する電圧の積分のその従来の意味において本明細書で使用される。しかしながら、いくつかの双安定電気光学媒体は、電荷変換器として作用し、そのような媒体では、インパルスの代替定義（すなわち、（印加される総電荷に等しい）経時的電流の積分）が使用されてもよい。インパルスの適切な定義は、媒体が電圧−時間インパルス変換器または電荷インパルス変換器として作用するかどうかに応じて使用されるべきである。
【００３２】
電気泳動ディスプレイを駆動させる際の複雑性は、いわゆる「ＤＣ平衡」の必要性である。米国特許第６，５３１，９９７号および米国特許第６，５０４，５２４号に論じられるように、ディスプレイを駆動させるために使用される方法が、電気光学媒体を横断してゼロまたはほぼゼロ正味時間平均印加電場をもたらさない場合、問題に遭遇し、ディスプレイの作業寿命が低減され得る。電気光学媒体を横断してゼロ正味時間平均印加電場をもたらす駆動方法は、便宜的に、「直流平衡」または「ＤＣ平衡」と称される。
【００３３】
すでに述べられたように、カプセル化された電気泳動媒体は、典型的には、ポリマー接着剤内に配置される電気泳動カプセルを備え、これは、コヒーレント層の中に離散カプセルを形成する役割を果たす。ポリマー分散電気泳動媒体中の連続相およびマイクロセル媒体のセル壁は、同様の機能を果たす。電気泳動媒体中の結合剤として使用される具体的な材料が媒体の電気光学特性に影響し得ることは、Ｅ  Ｉｎｋ研究者によって見出されている。中でも、結合剤の選択によって影響される電気泳動媒体の電気光学特性は、米国特許第７，１１９，７７２号（特に、図３４および関連する説明を参照）に論じられるいわゆる「ドウェル時間依存性」である。少なくともいくつかの場合には、双安定電気泳動ディスプレイの２つの具体的な光学状態間の遷移のために必要なインパルスは、その初期光学状態におけるピクセルの滞留時間によって変動することが見出されており、本現象は、「ドウェル時間依存性」または「ＤＴＤ」と称される。明白なこととして、ＤＴＤがディスプレイを駆動させる困難性に影響し、生成される画像の品質に影響し得るため、ＤＴＤを可能な限り小さく保つことが望ましい。例えば、ＤＴＤは、均一グレー色の領域を形成するように仮定されるピクセルをグレーレベルにおいて相互に若干異ならせ得、ヒトの眼は、そのような変動に対して非常に敏感である。結合剤の選択がＤＴＤに影響することは公知であるが、任意の具体的な電気泳動媒体のための適切な結合剤の選択は、これまで、試行錯誤に基づいており、本質的に、ＤＴＤと結合剤の化学性質との間の関係の理解を伴わない。
【００３４】
以下の議論のいくつかは、初期グレーレベルから最終グレーレベル（初期グレーレベルと異なってもよく、異なっていなくてもよい）への遷移を通して、電気光学ディスプレイの１つまたは複数のピクセルを駆動させるための方法に焦点を当てる。用語「波形」は、ある具体的な初期グレーレベルから具体的な最終グレーレベルへの遷移をもたらすために使用される時間に対する電圧の曲線全体を示すために使用される。典型的には、そのような波形は、複数の波形要素を備え、これらの要素が本質的に方形である場合（すなわち、所与の要素が、ある期間の間、一定電圧の印加を含む場合）、要素は、「パルス」または「駆動パルス」と呼ばれ得る。用語「駆動スキーム」は、具体的なディスプレイについてグレーレベル間のあらゆる可能性として考えられる遷移をもたらすために十分な波形の集合を示す。ディスプレイは、２つ以上の駆動スキームを利用してもよい。例えば、米国特許第７，０１２，６００号は、駆動スキームが、パラメータ（例えば、ディスプレイの温度、または、その寿命の間に動作している時間）に応じて改変される必要があり得、したがって、ディスプレイが、異なる温度等で使用される複数の異なる駆動スキームを提供され得ることを教示する。この様式において使用される駆動スキームの集合は、「関連駆動スキームの集合」と称され得る。また、２つ以上の駆動スキームを同時に同一ディスプレイの異なる領域において使用することも可能性として考えられ、この様式において使用される駆動スキームの集合は、「同時駆動スキームの集合」と称され得る。
【００３５】
本発明者らは、とりわけ、テキストを電気光学ディスプレイ上に表示するとき、時として、テキストを表示させるためにかかる時間と表示されるテキストの品質との間に妥協があり、両方とも、テキストのために使用されるビット深度に依存し得ることを理解した。より低いビット深度を用いて表示されるテキストは、より高いビット深度を用いて表示される同一テキストより多くピクセル化されて現れ得る。しかしながら、より高いビット深度が使用されるとき、より多くの時間が、ディスプレイを駆動するために必要とされ得る。テキストを表示するために選択されるビット深度は、全体的ユーザ体験のための嗜好に依存し得る。例えば、テキストが迅速に表示されるとき（例えば、電子ディスプレイ上でページをめくるとき、電子リーダを使用するとき）に、テキストは、１ビット（黒色および白色）深度で表示されてもよい。テキストがより優れた品質で表示されるとき、より多くの時間が、テキストをより高いビット深度（例えば、４ビットグレースケール）に表示するために必要とされる。したがって、ユーザが高速および高品質を期待する状況においてテキストを表示するための１つのアプローチは、最初に、テキストを低ビット深度（例えば、１ビット深度）で表示し、次いで、同一テキストをより高い品質ビット深度（例えば、４ビット深度）まで更新し、それにより、テキストのより優れた目視を提供することである。
【００３６】
しかしながら、本発明者らは、標準フォントレンダリングアルゴリズムが、同一フォントで表示される高ビット深度テキストと低ビット深度テキストとの間に不一致をもたらすことを認識した。例えば、テキスト文字またはグリフのサイズは、２つの異なるビット深度間で変化し得る。その結果、１ビット深度で表示されるテキストのページが異なるビット深度に変化される場合、テキストを構成するグリフの場所は、異なるビット深度に起因して、このサイズ変化に対応するように変化し得る。ステムおよびセリフ等の付加的フォント要素が、フォント命令もしくはフォントヒントによって指図され得、または除去もしくは低減さえされ得る。不一致は、グリフを表示するためのフォントヒンティングがより低いビット深度とより高いビット深度との間で異なるために生じ得る。
【００３７】
したがって、本願の側面は、異なるビット深度においてフォントをレンダリングするための技法を開示し、異なるビット深度におけるフォントヒンティング等の特性間の不一致は、低減または完全に排除される。いくつかの実施形態では、同一フォントヒントが、２つ以上のビット深度のために使用される。そのような技法を使用して、ディスプレイ（例えば、電気泳動ディスプレイ）上に表示されるテキストは、低ビット深度を用いて迅速に表示され、テキストにおける目立った変化を伴うことなくより高いビット深度に変化され得、これは、ユーザ体験を改善し得る。
【００３８】
加えて、本発明者らは、ピクセルがあるピクセル色またはあるピクセル値から別のものに変化するにつれて、電気光学ディスプレイ上等のいくつかの電子ディスプレイ上に表示されるテキストの変化が、アーチファクトをもたらし得ることを認識した。ディスプレイ上のテキストは、一連の文字またはグリフである。ディスプレイ上のピクセルの一部は、各グリフを表示するために非白色ピクセル値（多くの場合、グレーまたは黒色）に駆動されるが、他の色も、可能性として考えられる。テキストが、（例えば、電子リーダ上での）別のページへの移行等、ディスプレイ上で変化されると、グリフを表示するピクセルのいくつかは、新しいテキストを表示するために値を変化させ得る。非白色ピクセル（例えば、黒色ピクセルおよび／またはグレーピクセル）に隣接する白色ピクセルは、新しいテキストが表示されると、アーチファクトをもたらし得る。そのようなアーチファクトは、以前のテキストグリフのエッジがディスプレイ上に残るエッジゴースト発生を含み得る。そのようなアーチファクトは、繰り返されるテキスト更新をディスプレイが受けると経時的に蓄積し得る。
【００３９】
エッジゴースト発生の存在を低減させるための以前の技法は、新しいテキストを表示する前に、ディスプレイ上の全ピクセルを白色等の同一ピクセル値に全体的に更新することを含む。いくつかの状況では、複数の全体的更新は、アーチファクトの除去を確実にするために行われる。しかしながら、そのような全体的更新技法は、読者にとって望ましくないことがある点滅ディスプレイをもたらす。点滅は、全ピクセルもしくはピクセルの部分集合を同一ピクセル値に能動的に駆動させることから生じ得るか、または、全ピクセルまたはピクセルの部分集合を次の画像に能動的に駆動させることから生じ得る。本明細書で使用される場合、用語「ピクセルをある値（すなわち、グレーレベル）に能動的に駆動させる」は、ヌル遷移またはゼロ電圧遷移を含まない。
【００４０】
本願の側面は、エッジゴースト発生の存在を低減させることと、ディスプレイの点滅を低減させることとの両方のための技法を提供する。そのような技法は、ディスプレイ全体を新しいテキストに更新する前に、白色に変化されるべきグリフ内のピクセルとそのグリフに隣接するいくつかのピクセルとを含むピクセルの領域を画定することを含む。グリフ内のピクセルおよびそのグリフに隣接するピクセルの領域は、マスクと呼ばれ得る。そのようなマスクを使用することによって、白色−黒色境界および／または白色−グレー境界の数が低減され、マスク内のピクセルの更新は、エッジゴースト発生の存在を低減させ得る。そのようなマスクを使用することは、ピクセルの一部のみが白色にもたらされるが、依然として、表示されるテキスト内の正確度のレベルを維持するため、点滅の出現を低減させ得る。
【００４１】
前述の側面および実施形態ならびに付加的な側面および実施形態は、以下にさらに説明される。これらの側面および／または実施形態は、個々に、全てともに、または２つ以上のものの任意の組み合わせにおいて使用されてもよく、本願は、この点において限定されない。
【００４２】
本願の側面は、印加される電場の極性に敏感である電気光学媒体を用いて、ディスプレイを駆動させるための方法および装置に関する。そのようなディスプレイは、電気泳動ディスプレイと、回転２色部材ディスプレイと、電子リーダおよび電子ペーパ等のそのような電気光学ディスプレイを有するデバイスとを含む任意の適した電気光学ディスプレイを含んでもよい。本願の側面を使用し得る例示的装置が図１に示される。例示的装置全体１０は、画像を表すデータをデータライン１４上に出力し得る（パーソナルコンピュータ１２として示される）画像ソースを含んでもよい。データラインは、コントローラユニット１６まで延在してもよい。コントローラユニット１６は、出力信号の１つの集合をデータバス１８上に、信号の第２の集合を別個のデータバス２０上に生成してもよい。データバス１８は、行（またはゲート）ドライバ２２に接続され得る一方、データバス２０は、複数の列（またはソース）ドライバ２４に接続される。行ドライバおよび列ドライバは、双安定電気光学ディスプレイ２６の動作を制御する。
【００４３】
（例えば、電気光学ディスプレイ２６の）例示的ディスプレイアーキテクチャの断面図が図２に示される。ディスプレイアーキテクチャは、単一共通透明電極２０２を電気光学層２１０の片側に含んでもよく、この共通電極２０２は、ディスプレイ上の全ピクセルを横断して延在する。この共通電極２０２は、電気光学層２１０と観察者との間にあり、画面２１６を形成し、観察者は、画面２１６を通して、ディスプレイを目視する。電気光学層の反対側には、各ピクセル電極が単一行と単一列との交差点によって一意に画定されるように行および列に配列されるピクセル電極のマトリクスが配置される。３つのみのピクセル２０４、ピクセル２０６、およびピクセル２０８が、図２に示されるが、任意の適した数のピクセルが、そのような電気光学ディスプレイのために使用されてもよい。加えてまたは代替的には、共通電極およびピクセルの配列は、反転されてもよい。電気光学層の各ピクセルによって経験される電場は、共通電極に印加される電圧に対して、関連付けられたピクセル電極に印加される可変電圧によって制御される。
【００４４】
電気光学層は、任意の適した電気光学媒体を含んでもよい。図２に示される実施例では、電気光学媒体は、正に帯電された白色粒子２１２と、負に帯電された黒色粒子２１４とを含む。ピクセル上に印加された電場は、画面２１６により近い粒子がピクセル値を判定するように、粒子２１２および粒子２１４を共通電極とピクセル電極との間の空間内に位置付けることによって、あるピクセルに対してピクセル値を変更し得る。図２に示される例示的ディスプレイ内のピクセルは、黒色状態ピクセル２０４および黒色状態ピクセル２０８、または、白色状態ピクセル２０６のいずれかにあり、そのようなディスプレイ上の情報は、１ビット深度と称され得る。グレー状態またはピクセル値は、電圧信号を印加することにより画面を通して観察者によって可視である黒色粒子と白色粒子との混合物を生成することによって、形成されてもよい。
【００４５】
ピクセル電極および共通電極に印加される電圧信号を駆動させるための任意の適した方法および装置が、使用されてもよい。図３は、図１の例示的コントローラ１６が電圧信号を生成する様式を図示する。電圧信号は、６ビット電圧信号についてのＤ０：Ｄ５等のあるピクセルについてのビット電圧値と、共通電極２０２に対する極性信号ＰＯＬとを含んでもよい。６ビット電圧信号が、図３における例示的コントローラのために出力されるが、任意の適した数のビット電圧信号が、ビット深度を形成するために使用されてもよい。コントローラは、最終画像１２０（ディスプレイに書き込むために所望される画像）を表すデータと、ディスプレイに以前に書き込まれた初期画像１２２と、随意に、初期画像の前にディスプレイに書き込まれた１つまたは複数の以前の画像１２３とを格納する。コントローラは、そのピクセルの状態を最終画像内の所望のグレーレベルに変化させるために具体的なピクセルに印加されなければならないインパルスの値を提供するルックアップテーブル１２４の中へのポインタとして、初期画像１２０、最終画像１２２、および以前の画像１２３内の具体的なピクセルについてのデータを使用する。ルックアップテーブル１２４から得られた出力およびフレームカウンタ１２６からの出力は、電圧対フレームアレイ１２８に供給され、これは、制御電圧信号を生成する。ルックアップテーブルを使用した双安定電気光学ディスプレイの駆動は、前述の米国特許第７，０１２，６００号により詳細に説明される。
【００４６】
前述のように、あるピクセルについてのピクセル値が、異なる値に変化されると、ピクセルまたはピクセル値の以前に印加された電圧は、現在のピクセル値に影響し得る。図４は、画像４０２内の例示的ディスプレイ上の白色背景上の黒色「Ｅ」の実施例を示し、「Ｅ」内のピクセルは、黒色であって、「１」の値を有し、「Ｅ」の外側のピクセルは、白色であって、「４」の値を有する。しかしながら、ディスプレイが、続いて、均一グレー背景である画像４０４を形成するように駆動されると、文字「Ｅ」を形成した以前に黒色のピクセルは、背景の以前に白色のピクセルと異なるピクセル値を有する。ピクセル値のそのような差異は、グレートーン誤差と呼ばれ得、ディスプレイ上の表示される情報またはテキスト内にアーチファクト（例えば、以前の画像の一部が現在の画像内で依然として見えているゴースト発生およびエッジアーチファクト）をもたらし得る。そのようなアーチファクトを低減させるための以前の技法は、より長い期間の間に電圧波形を印加し、点滅させ、それにより、ゴースト発生効果を取り除くことを含み得る。本願は、テキストをレンダリングする時間を改善し、最終的に表示されるテキスト内のアーチファクトを低減させるための技法を含む。
【００４７】
テキストを表示する時間を改善する（例えば、増加させる）ための技法は、低ビット深度を用いてテキストを迅速に表示し、テキストにおける目立った変化を伴うことなくより高いビット深度に変化させることを含んでもよい。コンピュータフォントは、輪郭を伴うフォントデータファイルと、グリフをディスプレイ上に表示するときに使用されるべきヒントとを含む。具体的な命令またはヒントは、異なるビット深度間で一貫したままであって、異なるビット深度間で一貫した様式でテキストが表示されることを可能にし得る。これらのヒントは、サイズ、カーニング、ステム厚さ、アーム厚さ、グリフ間隔、グリフ幅、グリフ高さ、アセンダ長さ、ディセンダ長さ、およびセリフ厚さを含んでもよい。そのようなヒントは、本願の側面によると、異なるビット深度間での不一致を低減させるために、低ビット深度および高ビット深度で表示されるテキスト間で一貫して生成され得る。
【００４８】
一貫したフォントヒンティングが１ビット（例えば、Ａ２）およびマルチビット深度（例えば、ＧＣ１６）に適用されるグリフの実施例が、図５および図６に示される。異なるビット深度間のフォントの一貫した特性は、テキスト全体の品質を改善し、ユーザ体験を改善するために使用され得る。１ビット深度は、グリフを迅速に表示するために（例えば、高速更新のために）使用され得る一方、マルチビット深度は、標準更新で表示するために使用され得る。いくつかの実施形態では、１ビット深度におけるテキストは、テキストがマルチビット深度に更新される前に、最初に表示されてもよい。前述のように、異なる深度間のヒンティングの差異を最小限にするかまたは排除することにより、ユーザ目視体験を改善することが望ましい。
【００４９】
マルチビットフォント深度テキスト５０２と１ビットフォント深度テキスト５０４との両方についての例示的サンセリフフォントが図５に示される。１ビット深度テキスト５０４におけるグリフは、文字「ｘ」についての幅５０６および文字「ｌ」についての幅５０８によって示されるように、マルチビット５０２において同一幅を有する。加えて、グリフステムおよびアームは、５０２と５０４との間で同一厚さを有する。
【００５０】
マルチビットフォント深度６０２と１ビットフォント深度６０４との両方についての例示的セリフフォント（Ｔｉｍｅｓ  Ｎｅｗ  Ｒｏｍａｎ）が図６に示される。文字「Ｒ」における例示的セリフは、６１６によって示される。フォント内の特徴を画定するために、ｘライン６１０は、フォントについての他の特徴ラインとの比較の参照のために使用される。ベースライン６１２は、文字がかかるラインを指し、たいていの文字の底部をマークする。Ｘ−高さは、ベースライン上方の小文字の高さを指す。キャップライン６０８は、ベースライン６１２からの大文字の高さを指定し、大文字の高さは、６１７である。ディセンダライン６１４は、いくつかのグリフ（例えば、ｐ、ｇ、ｊ）について文字がベースラインの下方に延在する距離を指す。アセンダライン６０６は、上方に向かう文字の上部を指し、アセンダがｘ−高さの上方に延在する距離は、アセンダラインによって設定される。ディセンダラインおよびアセンダラインの場所は、フォントによって変動し得る。フォント高さ６１８は、ディセンダライン６１４からアセンダライン６０６までのフォントの高さを指す。図６に示されるように、グリフ高さ６１８、アセンダライン６０６、ディセンダライン６１４、およびセリフ６１６は、１ビット深度テキスト６０４およびマルチビット深度テキスト６０２の両方について同一であり得る。加えて、カーニング、または、グリフ間の空間は、異なるビット深度について同一であり得る。いくつかの実施形態では、分断されたピクセル（例えば、文字「Ｅ」の領域６２０）を含むあるグリフの特徴は、レンダリングされるテキストの品質全体を改善するために除去されてもよい。
【００５１】
いくつかの実施形態では、異なるビット深度間のヒンティングの差異を伴うことなく図５および図６において上方にレンダリングされるようなフォント対を実装するための技法は、異なるビット深度からのヒントを使用することによって、フォントを１ビット深度でレンダリングすることを含んでもよい。フォントレンダラは、フォントファイルを読み取り、１ビット深度のためにフォントファイル内に埋め込まれたヒントまたは命令を使用してテキストを表示してもよく、テキストが異なるビット深度に更新される場合、ビット深度毎に一意のヒントを使用することとは対照的に、同一ヒントまたは命令が、テキストを異なるビット深度で表示するために使用される。実施例として、レンダラは、１ビット深度のために埋め込まれたヒントを使用して、テキストを１ビット深度を用いて表示してもよく、テキストがマルチビット深度に変換されると、１ビットバージョンからの同一ヒントが使用される。
【００５２】
いくつかの実施形態では、フォントヒントは、異なるビット深度間の不一致を低減させるために、２つ以上のビット深度について具体的に設計および／または選択されてもよい。そのような設計されたヒントは、特定のフォントまたはビット深度のためにフォントファイル内で使用される既存のヒントから選択されてもよいし、および／または、一意に設計されてもよい。設計されたフォントヒントは、テキストを異なるビット深度におけるフォントでレンダリングするために使用されてもよい。
【００５３】
いくつかの実施形態では、閾値化アルゴリズムが、複数のビット深度に対してフォントをレンダリングするために適用されてもよい。１ビット深度フォントにおけるテキストの表示は、テキストをマルチビット深度でレンダリングし、閾値化アルゴリズムを適用し、それにより、マルチビット深度テキストを１ビット深度テキストに変換することを含んでもよい。そのような閾値化アルゴリズムは、閾値をマルチビット深度テキストに適用することを含んでもよく、テキストを形成するピクセルは、閾値に基づいて１ビット値に変換される。例えば、閾値を上回るピクセル値は、白色ピクセルに変換される一方、閾値を下回るピクセルは、黒色ピクセルに変換され、それにより、テキストを１ビット深度でレンダリングする。
【００５４】
いくつかの実施形態では、異なる波形または電圧信号が、複数のビット深度に対してテキストをレンダリングするために使用されてもよい。波形は、テキストをディスプレイ上に表示する速度および／またはレンダリングされるテキストの品質のために設計されてもよい。実施例として、１つの波形は、テキストを迅速にレンダリングし得るが、テキストは、不良品質を有し得、別の波形は、より高い品質で、テキストをより長い期間にわたってレンダリングし得る。したがって、種々の技法が、外観における差異を低減させる一方でテキストを異なるビット深度でレンダリングするために使用されてもよい。
【００５５】
本願はまた、ディスプレイの点滅を低減させる一方で、テキストが新しい情報に更新されるとアーチファクトを低減させるための技法を含む。更新マスクが、特定のフォントのためのレンダリングされる各グリフに適用されてもよい。マスクは、レンダリングされるグリフ内のピクセル以外のピクセルを含んでもよい。付加的ピクセルは、グリフ内のピクセルに隣接するピクセルであってもよい。テキスト情報がディスプレイ上で更新されると、マスク内のピクセルは、新しいテキストの表示前または表示中に、白色等のピクセル値に更新され得る。更新マスク外の領域（すなわち、背景ピクセル）は、点滅し得ないように、白色から白色に遷移する可能性が高く、白色から白色に遷移するため、更新されなくてもよい。更新マスクは、任意の適した様式で（例えば、アルゴリズムを通して、または、ユーザによって）作成されてもよい。更新マスクは、フォントがレンダリングされている間に、レンダリングプロセスの一部として、および／または、フォントがディスプレイ上にレンダリングされた後に、作成されてもよい。
【００５６】
マスクは、全体的な点滅の低減および／または表示されるテキストの品質の改善に基づいて、特定のグリフのために形成されてもよい。マスクは、更新される領域内のエッジの数を減少させ、それにより、全体的なエッジアーチファクトを低減させ得る。マスクはまた、グリフ内に囲まれた領域を充填し、かつ／または、グリフ外であるが例えば凸包内の領域を充填してもよい。ユークリッド空間または平面内の点の集合Ｘの凸包は、Ｘを含む最小凸集合である。Ｘが平面の有界部分集合であるとき、凸包は、Ｘの周囲に伸長されたゴムバンドによって形成される形状として視覚化され得る。これは、凸包絡と称され得る。より形式的には、凸包は、Ｘを含む全凸集合の交差点として、または、Ｘ内の点の全凸組み合わせの集合として画定されてもよい。いくつかの事例では、エッジの長さが検討されてもよく、マスクは、エッジアーチファクトの可視性を最小限にするために、連続直線エッジを低減させるように設計されてもよい。更新においてピクセル化されたグリフの境界外にピクセルを含むことによってスクリーン全体の点滅のある程度の増加が存在するため、マスクは、点滅とエッジ低減レベルとのバランスを考慮するように最適化されてもよい。更新マスクは、エッジ低減レベルに基づいて形成されてもよく、エッジ低減レベルは、マスク内の総エッジおよび更新されたマスク内のピクセルの数に基づいて決定されてもよい。特定のマスクに対するそのようなエッジ低減レベルは、ピクセル化されたグリフ内のエッジの数とマスクと間の差異と、マスク内のピクセルの数とピクセル化されたグリフとの間の差異との比率から決定されてもよい。加えてまたは代替的には、２つのエッジがぶつかる角が他の領域より強いゴースト発生を示し得、マスクは、更新された領域に対する角の量を最小限にするように選択されてもよい。いくつかの実施形態では、マスクは、連続文字の領域を含んでもよく、あるグリフが相互に接続される方法によって画定されてもよい。
【００５７】
図７Ａは、電気光学ディスプレイ上に表示され得る例示的なピクセル化されたテキスト要素７０２を示す。テキスト要素７０２の輪郭が、図７Ｂにおいて７０４によって示される。文字「ａ」を別のグリフに変化させるために、領域７０４内のいくつかのピクセルは、別のピクセル値に変化される必要があり得る。マスクが、領域７０４およびいくつかの隣接するピクセルを更新するために使用されてもよい。図８Ａ〜図８Ｇは、テキスト要素７０２を別のグリフに更新するときに適用され得る例示的マスクである。マスクは、テキスト要素７０２のピクセルと、テキスト要素７０２のピクセルの凸包内にある付加的ピクセルとを含む。マスクは、付加的ピクセルを含み得、それにより、エッジの数および／または全エッジの長さを低減させ、エッジ蓄積率を低減させる。
【００５８】
実施例として、図８Ａにおけるマスク８０２は、グリフ７０２および領域８０４内のピクセルを含み、グリフが穴を有していないピクセル化された文字の閉鎖グリフを形成する。別の実施例では、図８Ｂにおけるマスク８０６は、付加的ピクセル領域８０８および付加的ピクセル領域８１０を含む。図８Ｂにおける領域８１０は、エッジの数が領域８１０内の付加的ピクセルを更新することによって低減され得る実施例であって、領域８１０をマスク内に含めることによってゴースト発生に起因するエッジアーチファクトを低減させ得る実施例である。ピクセル化されたグリフ７０２を更新するためのマスクの付加的実施例は、７０４のピクセルならびに領域８１０および領域８１２のピクセルを含みかつ同様にエッジ長さの低減である図８Ｃにおける８１１を含んでもよい。別の実施例は、図８Ｄにおけるマスク８１４であり、マスク８１４は、７０４のピクセルならびに領域８１０、領域８１２、領域８１６、および領域８１８のピクセルを含む。領域８１６および領域８１８を含むことは、角に起因するアーチファクトを低減させ得る。図８Ｅは、全点が包絡８２０内に含まれる凸包の実施例である。図８Ｆは、凸包８２２内の格子模様パターン８３２の実施例であり、格子模様パターン８３２は、領域８２６および領域８３０を含み、選択された更新された領域を識別し、１つおきの更新毎に更新された領域間を切り替える（すなわち、第１の更新のために黒色領域８２４、次の更新のために白色８２８）。図８Ｆと同様に、図８Ｇは、格子模様パターン８３０の実施例であり、格子模様パターン８３０は、グリフ８２８にオーバーレイすることにより、除去するときに更新された領域（すなわち、第１の更新のために白色８３２、次の更新のために黒色８３４、次いで、白色、次いで、黒色等）を識別する。更新は、順次であってもよく、黒色、黒色、白色、白色のように、もしくは、領域が規則的に更新されることによりエッジゴースト発生を防止する任意の順序で、順序付けられてもよい。白色格子模様は、第１の更新の間に更新された領域を示す一方、黒色格子模様は、第２の更新の間に更新された領域を示す。格子模様内の黒色正方形および白色正方形は、完全模様もしくは部分的模様を表示するように割り当てられてもよいし、ランダムに割り当てられてもよい。
【００５９】
したがって、所与の更新のために選定される特定のマスクは、マスク内のエッジおよび／または角の数と、マスクの適用によって更新されているピクセルの総数とに基づいて選択されてもよいことを理解されたい。このように、アーチファクト（例えば、エッジアーチファクト）は、点滅の容認不可能な増加を伴うことなく最小限にされ得る。
【００６０】
上記のように、本願の技術のいくつかの側面および実施形態が説明されたが、種々の変更、改変、および改良が当業者に容易に想起されることを理解されたい。そのような変更、改変、および改良は、本願に説明される技術の精神および範囲内であることが意図される。例えば、当業者は、本明細書に説明される機能を果たすための、および／または、結果ならびに／もしくは利点のうちの１つまたは複数を取得するための種々の他の手段および／または構造を容易に想像し、そのような変更および／または改変はそれぞれ、本明細書に説明される実施形態の範囲内と見なされる。当業者は、本明細書に説明される具体的な実施形態の多くの均等物を認識するか、または、ルーチンにすぎない実験を使用して確認可能である。したがって、前述の実施形態は、一例として提示されているにすぎず、添付の特許請求の範囲およびその均等物の範囲内において、本発明の実施形態は、具体的に説明されるものと別様に実施されてもよいことを理解されたい。加えて、本明細書に説明される２つ以上の特徴、システム、物品、材料、キット、および／または方法の任意の組み合わせが、そのような特徴、システム、物品、材料、キット、および／または方法が相互に矛盾しない限り、本開示の範囲内に含まれる。
【図１】
0006570643.tif 000002
【図２】
0006570643.tif 000003
【図３】
0006570643.tif 000004
【図４】
0006570643.tif 000005
【図５】
0006570643.tif 000006
【図６】
0006570643.tif 000007
【図７Ａ】
0006570643.tif 000008
【図７Ｂ】
0006570643.tif 000009
【図８Ａ】
0006570643.tif 000010
【図８Ｂ】
0006570643.tif 000011
【図８Ｃ】
0006570643.tif 000012
【図８Ｄ】
0006570643.tif 000013
【図８Ｅ】
0006570643.tif 000014
【図８Ｆ】
0006570643.tif 000015
【図８Ｇ】
0006570643.tif 000016